(57)【要約】【課題】アナログ音声信号をデジタル化して記録するオーディオ装置において、アナログ音声信号が、デジタル化された後、音源の音質に応じて適切なビットレートで記録されるオーディオ装置を提供する。【解決手段】本発明のオーディオ装置は、デジタル音源から得られた第１デジタル音声信号を出力する複数の第１音源装置７，８と、アナログ音源から得られたアナログ音声信号を出力する複数の第２音源装置９，１０と、ある第１音源装置７，８から出力された第１デジタル音声信号を変換するＤＡＣ３と、前記ＤＡＣ３から出力された、又はある第２音源装置９，１０から出力されたアナログ音声信号を、第２デジタル音声信号に変換するＡＤＣ１２と、前記第２デジタル音声信号に符号化処理を施す符号化処理部２と、音源の音質と符号化ビットレートの設定値とを対応づけるテーブルに基づいて、符号化ビットレートを前記符号化処理部１１に設定する制御装置１３とを具えている。【選択図】図１
2005056467.tif 000002
【特許請求の範囲】
【請求項１】
デジタル音源から得られた第１デジタル音声信号を変換した、又はアナログ音源から得られたアナログ音声信号を、第２デジタル音声信号に変換し、前記第２デジタル音声信号を圧縮符号化して記録媒体に記録するオーディオ装置において、
前記アナログ音源又は前記デジタル音源の音質に応じて、前記第２デジタル音声信号が圧縮符号化される際の符号化ビットレートを設定することを特徴とするオーディオ装置。
【請求項２】
前記第１デジタル信号が、前記デジタル音源に記録された音声データを読み出して得られる場合、前記第１デジタル音声信号を変換したアナログ音声信号をデジタル化して記録する際に、前記音声データの記録モードに応じて、前記符号化ビットレートを設定する請求項１に記載のオーディオ装置。
【請求項３】
前記第１デジタル信号が、前記デジタル音源に記録された音声データを読み出して得られる場合、前記音声データのビットレートが可変であると、前記第１デジタル音声信号を変換したアナログ音声信号をデジタル化して記録する際に、前記ビットレートが属する数値範囲に応じて、前記符号化ビットレートを設定する請求項１に記載のオーディオ装置。
【請求項４】
前記第１デジタル信号が、前記デジタル音源に記録された音声データを読み出して得られる場合、前記音声データに関する管理情報を読み出して、前記第２デジタル音声信号と共に、前記管理情報の全て又は一部を前記記録媒体に記録する請求項１乃至請求項３の何れかに記載のオーディオ装置。
【請求項５】
デジタル音源から得られた第１デジタル音声信号を出力する複数の第１音源装置（７）（８）と、
アナログ音源から得られたアナログ音声信号を出力する複数の第２音源装置（９）（１０）と、
ある第１音源装置（７）（８）から出力された第１デジタル音声信号を、アナログ音声信号に変換するデジタル／アナログコンバータ（３）と、
前記デジタル／アナログコンバータ（３）から出力された、又はある第２音源装置（９）（１０）から出力されたアナログ音声信号を、第２デジタル音声信号に変換するアナログ／デジタルコンバータ（１２）と、
前記第２デジタル音声信号に符号化処理を施す符号化処理部（１１）と、
複数のアナログ音源及びデジタル音源の音質の各々と、符号化ビットレートの設定値とを対応づけるテーブルが記憶された記憶装置（１６）と、
前記テーブルに基づいて、前記ある第１音源装置（７）（８）のデジタル音源、又は前記ある第２音源装置（９）（１０）のアナログ音源に対応する符号化ビットレートの設定値を、前記符号化処理部（１１）に設定する制御装置（１３）とを具えるオーディオ装置。
【発明の詳細な説明】
【０００１】
【発明の属する技術分野】
本発明は、音源から得られたアナログ音声信号をデジタル化して記録媒体に記録するオーディオ装置に関する。
【０００２】
【従来の技術】
近年、音声データを記録する記録媒体として大容量の記録媒体を用いたオーディオ装置が普及している。例えば、車載用オーディオ装置では、多数の音声データを再生可能とするためにＣＤチェンジャ装置が使用されてきたが、現在、ＣＤチェンジャ装置に代わってハードディスク装置が広く使用されている。ハードディスク装置を具える車載用オーディオ装置は、通常、ＣＤユニットを併せて具えており、使用者は、ＣＤ−ＤＡ（Ｃｏｍｐａｃｔ  Ｄｉｓｃ  Ｄｉｇｉｔａｌ  Ａｕｄｉｏ）方式で音声データが記録されたＣＤ（以下、単に「ＣＤ−ＤＡ」と称す）から、音声データをハードディスクにダビングすることが可能である。ハードディスクの記録容量は、ＣＤ−ＤＡの記録容量と比較して遙かに大きく、また、音声データは圧縮処理されてハードディスクに記録される。従って、オーディオ装置には多数の音声データが記録され、使用者は、多数のＣＤ−ＤＡをオーディオ装置と共に持ち運ばなくとも、所望の音声データを選択して再生できる。
【０００３】
このようなオーディオ装置は、ＣＤユニット以外にも、ＡＭチューナやＭＤユニット等を併せて具えることにより、受信したＡＭラジオ放送の内容をハードディスクに記録することや、ＭＤ（Ｍｉｎｉ  Ｄｉｓｋ）に記録された音声データを再生してハードディスクに記録することができる。さらに、ＣＤユニットを、ＣＤ−ＤＡ以外にも、ＭＰ３（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ−１  Ａｕｄｉｏ  Ｌａｙｅｒ  ３）方式で音声データが記録されたＣＤ−Ｒ等（以下、「ＭＰ３ＣＤ」と称す）やＷＭＡ（Ｗｉｎｄｏｗｓ  Ｍｅｄｉａ  Ａｕｄｉｏ）方式で音声データが記録されたＣＤ−Ｒ等に対応させることにより、ＭＰ３ＣＤ等に記録された音声データを再生してハードディスクに記録できる。
【０００４】
音声データをデジタルデータとして記録するオーディオ装置では、ＣＤ−ＤＡ等に記録されたオリジナルの音声データを、デジタルデータのままダビングすることは認められているが、著作権保護のため、オリジナルの音声データの複製である所謂第２世代の音声データは、一旦アナログ化した後に、デジタルデータとして記録媒体に記録される必要がある。従って、上記のようなオーディオ装置では、ＭＤやＭＰ３ＣＤ等に記録された音声データは、一旦アナログ音声信号に変換された後に、ハードディスクに記録されることになる。また、ＡＭ／ＦＭチューナから出力されるアナログ音声信号は、アナログ／デジタルコンバータでデジタル化された後にハードディスクに記録される。
【０００５】
【特許文献１】
特開２００３−１１０４４８号公報
【特許文献２】
特開２００２−５０１２１号公報
【０００６】
【発明が解決しようとする課題】
ハードディスク装置を用いた従来のオーディオ装置では、アナログ音声信号をデジタル化して記録する際のビットレートは、音源の音質に関係なく一定であった。例えば、ＡＭチューナから出力されるアナログ音声信号と、ＭＤユニットから出力されるデジタル音声信号をアナログ化したアナログ音声信号とは、デジタル化された後に同じビットレートでハードディスクに記録されていた。
【０００７】
しかしながら、アナログ音声信号をデジタル化して記録する際のビットレートが一定であると次の問題が生じる。まず、比較的高いビットレートを設定した場合、ＡＭラジオ放送等の低音質な音源から得られたアナログ音声信号を記録すると、又は、ＭＤに低音質モードで記録された音声データを一旦アナログ化して記録すると、ハードディスクに記録されるデータ量が、音質に対して不相応に大きくなる。また、比較的低いビットレートを設定した場合、デジタル音源に記録された高音質の音声データを一旦アナログ音声信号に変換して記録すると、ハードディスクに記録された音声データの音質の劣化が顕著になってしまう。
【０００８】
本発明は、上記の問題を解決するものであり、アナログ音声信号をデジタル化して記録媒体に記録するオーディオ装置において、アナログ音声信号が、デジタル化された後、音源の音質に応じて適切なビットレートで記録媒体に記録されるオーディオ装置を提供する。
【０００９】
【課題を解決するための手段】
本発明のオーディオ装置は、デジタル音源から得られた第１デジタル音声信号をアナログ化した、又はアナログ音源から得られたアナログ音声信号を、第２デジタル音声信号に変換し、前記第２デジタル音声信号を圧縮符号化して記録媒体に記録するオーディオ装置において、前記アナログ音源又は前記デジタル音源の音質に応じて、前記第２デジタル音声信号が圧縮符号化される際の符号化ビットレートを設定することを特徴とする。
【００１０】
さらに、本発明のオーディオ装置は、前記第１デジタル信号が、前記デジタル音源に記録された音声データを読み出して得られる場合、前記第１デジタル音声信号を変換したアナログ音声信号をデジタル化して記録する際に、前記音声データの記録モードに応じて、前記符号化ビットレートを設定する。さらに、本発明のオーディオ装置は、前記第１デジタル信号が、前記デジタル音源に記録された音声データを読み出して得られる場合、前記音声データのビットレートが可変であると、前記第１デジタル音声信号を変換したアナログ音声信号をデジタル化して記録する際に、前記ビットレートが属する数値範囲に応じて、前記符号化ビットレートを設定する。
【００１１】
さらに、本発明のオーディオ装置は、前記第１デジタル信号が、前記デジタル音源に記録された音声データを読み出して得られる場合、前記音声データに関する管理情報を読み出して、前記第２デジタル音声信号と共に、前記管理情報の全て又は一部を前記記録媒体に記録する。
【００１２】
また、本発明のオーディオ装置は、デジタル音源から得られた第１デジタル音声信号を出力する複数の第１音源装置と、アナログ音源から得られたアナログ音声信号を出力する複数の第２音源装置と、ある第１音源装置から出力された第１デジタル音声信号を、アナログ音声信号に変換するデジタル／アナログコンバータと、前記デジタル／アナログコンバータから出力された、又はある第２音源装置から出力されたアナログ音声信号を、第２デジタル音声信号に変換するアナログ／デジタルコンバータと、前記第２デジタル音声信号に符号化処理を施す符号化処理部と、複数のアナログ音源及びデジタル音源の音質の各々と、符号化ビットレートの設定値とを対応づけるテーブルが記憶された記憶装置と、前記テーブルに基づいて、前記ある第１音源装置のデジタル音源、又は前記ある第２音源装置のアナログ音源に対応する符号化ビットレートの設定値を、前記符号化処理部に設定する制御装置とを具える。
【００１３】
本発明の上記構成において、デジタル音源には、ＭＤ、ＭＰ３ＣＤやＷＭＡＣＤ等が、アナログ音源は、ＡＭラジオ放送（ＡＭ信号）やＦＭラジオ放送（ＦＭ信号）等が用いられる。記録媒体には、ハードディスク、ＤＶＤ−ＲＡＭやＣＤ−Ｒ等が用いられる。第１音源装置には、ＣＤユニットやＭＤユニット等が、第２音源装置は、ＡＭチューナやＦＭチューナ等が用いられる。記憶装置には、例えばＲＯＭが用いられ、制御装置には、例えばマイクロコンピュータ（以下、「マイコン」と称す）が用いられる。
【００１４】
【作用及び効果】
音源の音質に応じて、音源がデジタル音源である場合には、さらにデジタル音源の音声データの記録モード、又は、音声データのビットレートが属する数値範囲に応じて、符号化ビットレートを設定することによって、音源の音質に応じた適切なビットレートで、アナログ音声信号がデジタル化されて記録媒体に記録される。これにより、音源が低音質である場合、過剰なビットレートで、アナログ音声信号がデジタル化されて記録媒体に記録されることはなく、アナログ音声信号の記録によって記録媒体に作成される音声データのデータ量が少なくなる。また、音源が高音質である場合、高音質での再生が可能な音声データが記録媒体に作成される。さらに、このように音声データが記録媒体に作成されるので、記録媒体の記録容量が有効に活用される。
【００１５】
音声データに関する管理情報を読み出して、この音声データを一旦アナログ化したデジタル音声信号と共に、読み出した管理情報を記録媒体に記録することにより、オーディオ装置の記録動作の終了後に、管理情報を手動で入力して記録媒体に記録させる必要がなくなる。
【００１６】
【発明の実施の形態】
以下、本発明を図を参照して説明する。図１は、本発明の一実施例であるオーディオ装置のブロック図である。ハードディスク装置（１）は、音声データが記録されるハードディスク、ハードディスクの回転機構、該ハードディスクに対して音声データを読み書きするための磁気ヘッド及び信号処理回路等（図示せず）を含んでいる。本実施例では、ＭＰ３方式の音声データがハードディスクに記録される。オーディオ装置がハードディスクに記録された音声データを再生する場合、該音声データが読み出されて生じるデジタル音声信号が、ハードディスク装置（１）から出力されて、復号化処理部（２）に送られる。デジタル音声信号は、復号化処理部（２）にてＭＰ３方式に基づいて復号化処理された後、デジタル／アナログコンバータ（以下、「ＤＡＣ」と称す）（３）にてアナログ音声信号に変換される。ＤＡＣ（３）から出力されたアナログ音声信号は、ボリューム（４）でレベル調整された後、アンプ（５）で増幅されてスピーカ（６）から音声として出力される。
【００１７】
ＣＤユニット（７）は、ＣＤ−ＤＡやＭＰ３ＣＤ等のディスクを回転させる駆動機構、ディスクから音声データを読み出す光ピックアップ機構、サーボ制御機構、ＤＳＰ（Ｄｉｇｉｔａｌ  Ｓｉｇｎａｌ  Ｐｒｏｃｅｓｓｏｒ）及びＣＤ−ＲＯＭデコーダ等（図示せず）を含んでいる。ＣＤユニット（７）には、ＣＤ−ＤＡ等のディスクが挿脱自在に装着される。オーディオ装置がＣＤ−ＤＡに記録された音声データを再生する場合、該音声データが読み出されて生じるデジタル音声信号は、ＤＳＰにてＣＩＲＣ（Ｃｒｏｓｓ  Ｉｎｔｅｒｌｅａｖｅ  Ｒｅｅｄ−Ｓｏｌｏｍｏｎ  Ｃｏｄｅ）復号化処理及びＥＦＭ（Ｅｉｇｈｔ  ｔｏ  Ｆｏｕｒｔｅｅｎ  Ｍｏｄｕｌａｔｉｏｎ）復調処理等が施された後、ＤＡＣ（３）へ送られてアナログ音声信号に変換される。ＤＡＣ（３）から出力されたアナログ音声信号は、ボリューム（４）及びアンプ（５）を介して、スピーカ（６）から音声として出力される。
【００１８】
オーディオ装置がＭＰ３ＣＤに記録されたＭＰ３方式の音声データを再生する場合、ＭＰ３ＣＤから該音声データが読み出されて生じるデジタル音声信号は、ＤＳＰにて、ＣＩＲＣ復号化処理及びＥＦＭ復調処理等が施された後、ＣＤユニット（７）が具えるＣＤ−ＲＯＭデコーダにて、ＣＤ−ＲＯＭ方式に基づく復号化処理が施される。その後、デジタル音声信号は、ＣＤ−ＲＯＭデコーダから復号化処理部（２）に送られて、ＭＰ３方式に基づいて復号化処理される。その後、デジタル音声信号は、ＤＡＣ（３）でアナログ音声信号に変換された後、ボリューム（４）及びアンプ（５）を介して、スピーカ（６）から音声として出力される。
【００１９】
ＭＤユニット（８）は、ＭＤを回転させる駆動機構、ＭＤから音声データを読み出す光ピックアップ機構、サーボ制御機構、ＤＳＰ及びＡＴＲＡＣ３（Ａｄａｐｔｉｖｅ  ＴＲａｎｓｆｏｒｍ  Ａｃｏｕｓｔｉｃ  Ｃｏｄｉｎｇ  ３）デコーダ等（図示せず）を含んでいる。ＭＤユニット（８）には、ＭＤが挿脱自在に装着される。オーディオ装置がＭＤに記録された音声データの再生をする場合、該音声データが読み出されて生じるデジタル音声信号は、ＤＳＰにてＣＩＲＣ復号化処理及びＥＦＭ復調処理等が施された後、ＡＴＲＡＣ３デコーダへ送られて、ＡＴＲＡＣ３方式に基づいて復号化処理が施される。その後、ＭＤユニット（８）から出力されたデジタル音声信号は、ＤＡＣ（３）にてアナログ音声信号に変換された後、ボリューム（４）及びアンプ（５）を介して、スピーカ（６）から音声として出力される。
【００２０】
オーディオ装置はＡＭラジオ放送を受信可能であり、ＡＭチューナ（９）は、受信したＡＭ信号に復調処理を施して得られたアナログ音声信号を出力する。さらに、オーディオ装置はＦＭラジオ放送を受信可能であり、ＦＭチューナ（１０）は、受信したＦＭ信号に復調処理を施して得られたアナログ音声信号を出力する。ＡＭチューナ（９）又はＦＭチューナ（１０）から出力されたアナログ音声信号は、ボリューム（４）及びアンプ（５）を介してスピーカ（６）から出力される。
【００２１】
以上のように、本実施例のオーディオ装置は、ハードディスク装置（１）のハードディスク、ＣＤユニット（７）に装着されたＣＤ−ＤＡやＭＰ３ＣＤ等、若しくはＭＤユニット（８）に装着されたＭＤに記録された音声データの再生を行い、又は、受信したＡＭラジオ放送若しくはＦＭラジオ放送の音声を出力する。
【００２２】
また、本実施例のオーディオ装置は、ＣＤユニット（７）に装着されたＣＤ−ＤＡやＭＰ３ＣＤ等に記録された音声データを、又は、ＭＤユニット（８）に装着されたＭＤに記録された音声データを、一旦アナログ化して、ハードディスク装置（１）のハードディスクに記録できる。さらに、本実施例のオーディオ装置は、ＡＭチューナ（９）又はＦＭチューナ（１０）から出力されたアナログ音声信号を、デジタル化してハードディスク装置（１）のハードディスクに記録できる。ＤＡＣ（３）、ＡＭチューナ（９）、又はＦＭチューナ（１０）から出力されたアナログ音声信号が入力されるボリューム（４）には、アナログ／デジタルコンバータ（以後、「ＡＤＣ］と称す）（１２）が接続されており、該ＡＤＣ（１２）は、ボリューム（４）から出力されたアナログ音声信号をデジタル音声信号に変換する。ＡＤＣ（１２）から出力されたデジタル音声信号は、符号化処理部（１１）にてＭＰ３方式に基づく圧縮符号化処理が施される。デジタル音声信号が符号化処理部（１１）で圧縮符号化される際の符号化ビットレートは可変であり、マイコン（１３）によって設定される。符号化処理部（１１）で圧縮符号化されたデジタル音声信号は、ハードディスク装置（１）に送られて符号化ビットレートと同じビットレートでハードディスクに記録される。
【００２３】
マイコン（１３）は、オーディオ装置の統括的な制御を行い、ハードディスク装置（１）及びＣＤユニット（７）等のオーディオ装置の構成機器は、図１にて破線で示す制御バス（１４）を介してマイコン（１３）によって制御される。マイコン（１３）には、各種データの一時記憶用のＲＡＭ（１５）と、各種制御用プログラム等が記録されたＲＯＭ（１６）とが接続されている。さらに、マイコン（１３）には、使用者がオーディオ装置を操作するための各種ボタン及びスイッチ類から構成される操作部（１７）と、液晶表示装置等で構成される表示部（１８）とが接続されている。音声データに付加されてＭＰ３ＣＤやＭＤ等に記録された管理情報は、これらから読み出された後、マイコン（１３）に送られて表示部（１８）に表示される。管理情報は、ＭＰ３ＣＤでは音声データに付加されたＩＤ３タグに記録されており、ＭＤでは、ＵＴＯＣ（Ｕｓｅｒ  Ｔａｂｌｅ  Ｏｆ  Ｃｏｎｔｅｎｔｓ）に記録されている。
【００２４】
次に、本実施例のオーディオ装置のハードディスク装置（１）を用いた記録動作について説明する。図２は、この記録動作を示すフローチャートである。まず、使用者が操作部（１７）を操作することにより、記録動作の開始がマイコン（１３）に指示されると、マイコン（１３）は、記録動作の対象である音源を認識する（Ｓ１）。マイコン（１３）は、立ち上げられている音源装置を認識することによって、又は該音源装置から音源に関する情報を取得することによって、記録動作の対象である音源を認識する。また、記録動作の対象である音源は、記録動作の指示と同時に操作部（１７）より指定されて、該音源に係る音源装置が立ち上げられてもよい。例えば、記録動作の対象である音源としてＭＤが指定された場合、ＭＤユニット（８）が立ち上げられる。
【００２５】
次に、マイコン（１３）は、記録動作の対象である音源がＣＤ−ＤＡであるか否かについて判別する（Ｓ２）。音源がＣＤ−ＤＡでない場合、アナログ記録、すなわち、ボリューム（４）から出力されたアナログ音声信号の記録が選択される（Ｓ３）。すなわち、音源がＭＰ３ＣＤ又はＭＤである場合、復号化処理部（２）又はＭＤユニット（８）から出力されたデジタル音声信号が、一旦アナログ化されてハードディスクに記録されることになる。また、音源がＡＭラジオ放送又はＦＭラジオ放送である場合、ＡＭチューナ（９）又はＦＭチューナ（１０）から出力されたアナログ音声信号が記録されることになる。
【００２６】
ＲＯＭ（１６）には、ビットレート判定テーブルが記録されている。図３に、ビットレート判定テーブルの一例を示す。ビットレート判定テーブルは、音源の音質（種類）と、符号化処理部（１１）に設定する符号化ビットレートの設定値とを対応づける手段である。ステップＳ３の後、マイコン（１３）は、このビットレート判定テーブルを参照し、記録動作の対象である音源に対応する符号化ビットレートの設定値を、符号化処理部（１１）に設定する（Ｓ４）。
【００２７】
記録動作の対象である音源がＭＰ３ＣＤである場合、ステップＳ４にて、記録すべき（ＭＰ３ＣＤに記録されているＭＰ３方式の）音声データのヘッダに記述されたビットレート情報が読み出されて、ハードディスク装置（１）からマイコン（１３）に送られる。音声データは、例えばＶＢＲ（Ｖａｒｉａｂｌｅ  Ｂｉｔ  Ｒａｔｅ）方式に基づいてＭＰ３ＣＤに記録されており、ＶＢＲ方式では、音声データのビットレートは可変である。また、固定方式では、音声データのビットレートは固定である。
【００２８】
図３に示すように、ビットレート判定テーブルには、音声データのビットレートの３つの数値範囲に対応して、符号化処理部（１１）に設定する符号化ビットレートの設定値が与えられている。マイコン（１３）は、音声データのビットレートが０ｋｂｐｓ以上６４ｋｂｐｓ未満であれば、すなわち音声データの音質が低ければ、符号化処理部（１１）の符号化ビットレートを６４ｋｂｐｓに設定する。また、マイコン（１３）は、音声データのビットレートが６４ｋｂｐｓ以上１０８ｋｂｐｓ未満であれば（音声データの音質が中程度であれば）、符号化処理部（１１）の符号化ビットレートを１０８ｋｂｐｓに設定し、音声データのビットレートが１０８ｋｂｐｓ以上であれば（音声データの音質が高ければ）、符号化ビットレートを１３２ｋｂｐｓに設定する。なお、本実施例では、ＭＰ３ＣＤに記録されている音声データのビットレートは、該音声データを構成する各フレームで一定としている。本実施例では、ＭＰ３ＣＤに記録された音声データのビットレートを、３つの数値範囲で区別しているが、本発明において、数値範囲の数は特に限定されない。
【００２９】
記録動作の対象である音源がＭＤである場合、ステップＳ４にて、ＵＴＯＣの一項目である音声データの記録モード情報が、ＭＤユニット（８）からマイコン（１３）に送られる。本実施例では、ＭＤに記録されている音声データは、通常記録モード（ＡＴＡＲＡＣ  Ｓｔｅｒｅｏ）、ＬＰ２モード（ＡＴＡＲＡＣ３  ＬＰ２  Ｓｔｅｒｅｏ）、又はＬＰ４モード（ＡＴＡＲＡＣ３  ＬＰ４  Ｓｔｅｒｅｏ）で記録されている。図３に示すように、ビットレート判定テーブルには、これら３つの記録モードの各々に対応して、符号化処理部（１１）に設定する符号化ビットレートの設定値が与えられている。マイコン（１３）は、ビットレート判定テーブルを参照して、ＭＤに記録されている音声データの記録モードが通常記録モードであれば、符号化処理部（１１）の符号化ビットレートを１３２ｋｂｐｓに設定する。また、マイコン（１３）は、音声データの記録モードがＬＰ２モードであれば、符号化処理部（１１）の符号化ビットレートを１３２ｋｂｐｓに、音声データの記録モードがＬＰ４モードであれば、すなわち音声データの音質が低ければ、符号化ビットレートを６４ｋｂｐｓに設定する。
【００３０】
記録動作の対象である音源がＡＭラジオ放送又はＦＭラジオ放送である場合も、ステップＳ４にて、マイコン（１３）は、ビットレート判定テーブルを参照して、符号化処理部（１１）に符号化ビットレートを設定する。音源がＡＭラジオ放送である場合、ＡＭラジオ放送の音質は低いので、符号化ビットレートとして６４ｋｂｐｓが符号化処理部（１１）に設定される。音源がＦＭラジオ放送である場合、ＦＭラジオ放送の音質はＡＭラジオ放送よりも高いので、符号化ビットレートとして９４ｋｂｐｓが符号化処理部（１１）に設定される。
【００３１】
以上のように、ステップＳ４にて、記録動作の対象である音源の音質に応じた符号化ビットレートが、符号化処理部（１１）に設定される。その後、マイコン（１３）により、記録動作の対象である音源が音声データをデジタルデータとして記録しているか、すなわち、記録動作の対象である音源がデジタル音源である否かが判別される（Ｓ５）。具体的には、音源がＭＰ３ＣＤ又はＭＤであるか否かが判別される。
【００３２】
記録動作の対象である音源がＭＰ３ＣＤ又はＭＤでない場合、すなわち、ＡＭラジオ放送又はＦＭラジオ放送である場合には、ＡＭチューナ（９）又はＦＭチューナ（１０）から出力されるアナログ音声信号が、ハードディスク装置（１）に記録される（Ｓ６）。ステップＳ５にて、記録動作の対象である音源がＭＰ３ＣＤ又はＭＤであると判断されると、音源が管理情報を有するか否かが判別される（Ｓ７）。音源がＭＤである場合、ＭＤは、ＵＴＯＣを具えているので、ステップＳ７にて管理情報を有すると判断される。音源がＭＰ３ＣＤである場合、ステップＳ７にて、管理情報が音声データにＩＤ３タグとして付加されているか否かが判別される。ＭＰ３ＣＤの音声データに管理情報が付加されていない場合、ＣＤユニット（７）から出力されて復号化処理部（２）で復号化処理されたデジタル音声信号が、一旦アナログ化されてハードディスク装置（１）に記録される（Ｓ６）。
【００３３】
音源が管理情報を有する場合、管理情報が音源から読み出されて、ＲＡＭ（１５）に記憶される（Ｓ８）。音源がＭＰ３ＣＤであって、音声データにＩＤ３タグが付加されている場合、該ＩＤ３タグが読み出されて、マイコン（１３）を介してＲＡＭ（１５）に記憶される。音源がＭＤである場合、ＩＤ３タグの項目に対応するＵＴＯＣの一部の情報（例えば、曲名）がＭＤから読み出されて、マイコン（１３）を介してＲＡＭ（１５）に記憶される。
【００３４】
ステップＳ８の後、ＣＤユニット（７）から出力されて復号化処理部（２）で復号化処理されたデジタル音声信号、又はＭＤユニット（８）から出力されたデジタル音声信号が、一旦アナログ化されてハードディスクに記録される（Ｓ６）。さらに、デジタル音声信号と共に、ＲＡＭ（１５）に管理情報の全て又は一部も、ハードディスクに記録される。具体的には、音源がＭＰ３ＣＤである場合、この記録動作によってハードディスクに作成された音声データに、ＲＡＭ（１５）から読み出されたＩＤ３タグが付加される。また、音源がＭＤである場合、ＲＡＭ（１５）に記憶されたＵＴＯＣの一部の情報に基づいてＩＤ３タグがマイコン（１３）で作成され、作成されたＩＤ３タグは、ハードディスクに作成された音声データに付加される。従来のオーディオ装置では、ＭＰ３ＣＤやＭＤ等のデジタル音源の音声データを、一旦アナログ化して記録する場合、デジタル音源の管理情報は共に記録されておらず、使用者は、管理情報をハードディスクに記録する作業を改めて行う必要があった。本発明のオーディオ装置では、このようにデジタル音源の管理情報を自動的にハードディスクに記録しているので、使用者の負担が大きく軽減されている。
【００３５】
ステップＳ２において、記録動作の対象である音源がＣＤ−ＤＡであると判断された場合、デジタル記録、すなわち、ＣＤユニット（７）から出力されたデジタル音声信号を符号化処理部（１１）に入力し、該符号化処理部（１１）で圧縮符号化してハードディスクに記録することが選択される（Ｓ９）。ビットレート判定テーブルには、ＣＤ−ＤＡの音声データをデジタル記録する場合に対応した符号化ビットレートの設定値も定められている。マイコン（１３）は、ビットレート判定テーブルを参照して、符号化処理部（１１）の符号化ビットレートに１３２ｋｂｐｓを設定する（Ｓ１０）。その後、ＣＤユニット（７）から出力されたデジタル音声信号の記録が行われる（Ｓ６）。
【００３６】
上記実施例では、ＣＤユニット（７）は、ＣＤ−ＤＡ及びＭＰ３ＣＤに対応していたが、ＣＤユニット（７）、復号化処理部（２）、及び符号化処理部（１１）を、ＷＭＡＣＤ等の他の音源に対応させ、さらに、図３に示すビットレート判定テーブルに、これら音源に対応する符号化ビットレートの設定値を追加してもよい。また、上記実施例では、種々の音源から得られた音声信号をハードディスクに記録していたが、ＣＤユニット（７）を記録動作可能とすることにより、ＣＤユニット（７）に装着された記録媒体に音声信号を記録してもよい。例えば、ＭＤユニット（８）から出力されたデジタル音声信号を、アナログ化、さらには符号化処理部（１１）で圧縮符号化して、ＣＤユニット（７）に装着されたＣＤ−Ｒ等に記録してもよい。
【００３７】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明の一実施例であるオーディオ装置の概要を示すブロック図である。
【図２】本発明の一実施例であるオーディオ装置の記録動作を示すフローチャートである。
【図３】本発明の一実施例であるオーディオ装置のＲＯＭに記憶されたビットレート判定テーブルの一例を示す説明図である。
【符号の説明】
（３）          デジタル／アナログコンバータ
（７）          ＣＤユニット
（８）          ＭＤユニット
（９）          ＡＭチューナ
（１０）        ＦＭチューナ
（１１）        符号化処理部
（１２）        アナログ／デジタルコンバータ
（１３）        マイクロコンピュータ
（１６）        ＲＯＭ
【図１】
2005056467.tif 000003
【図２】
2005056467.tif 000004
【図３】
2005056467.tif 000005